(57)【要約】【課題】冷気の拡散・暖気との混合を抑制してＩＣＴ装置を効果的に冷却する。【解決手段】本発明の二重床パネルは、二重床下から室内に冷気を噴出すことによりＩＣＴ機器の温度調整する空調方式を用いた二重床構造のＩＣＴ機器室に敷設され、二重床下と室内とを区切る二重床パネルであって、前記二重床パネルの一部は、水平方向に対して左右両側から下向きに傾いて三角形状の溝を形成し、前記傾いた面の一方の面に冷気が吹き出す空気孔が開口され、前記空気孔からＩＴＣ機器を収納するラックの吸気孔に向かって冷気が噴出されることを特徴とする。【選択図】図１
2014181451.tif 000002
【特許請求の範囲】
【請求項１】
二重床下から室内に冷気を噴出すことによりＩＣＴ機器の温度を調整する空調方式を用いた二重床構造のＩＣＴ機器室に敷設され、二重床下と室内とを区切る二重床パネルにおいて、
前記二重床パネルの一部は、水平方向に対して左右両側から下向きに傾いて三角形状の溝を形成し、前記傾いた面の一方の面に冷気が吹き出す空気孔が開口され、前記空気孔からＩＴＣ機器を収納するラックの吸気口に向かって冷気が噴出されることを特徴とする二重床パネル。
【請求項２】
前記傾いた面には、複数の孔が開口されていることを特徴とする請求項１に記載の二重床パネル。
【請求項３】
前記傾いた面は、１つの孔が開口され、
前記溝は、前記二重床パネルにくぼみ状に複数形成されることを特徴とする請求項１に記載の二重床パネル。
【請求項４】
前記空気孔の前記傾いた面内の深さ方向の位置は、前記溝を形成する三角形の深い部分に開口されることを特徴とする請求項１乃至３のいずれか１項に記載の二重床パネル。
【請求項５】
前記ＩＣＴ装置を収納するラックの吸気口が、前記ＩＣＴ装置以外のＩＣＴ装置を収納するラックの排気口と向かい合わせに配置され、
前記二重床パネルは、前記ＩＣＴラックと前記ＩＣＴ装置以外のＩＣＴ装置を収納したラックとの間に敷設され、
前記ＩＣＴ装置以外のＩＣＴ装置を収納したラックの排気口から排出される暖気の排出方向と、前記冷気が噴出される方向のなす角が、鋭角であることを特徴とする請求項１乃至４のいずれか１項に記載の二重床パネル。
【発明の詳細な説明】
【技術分野】
【０００１】
本発明は、データセンタ等におけるマシン室の二重床パネルに関し、より詳細には、冷気の拡散・暖気との混合を抑制してＩＣＴ装置を効果的に冷却できる二重底パネルに関するものである。
【背景技術】
【０００２】
近年、企業のＩＣＴ利用の急速な増加に伴って、ＩＣＴの電力問題が顕在化している。特に、ＩＣＴ装置の熱対策に伴う電力消費量が深刻化しつつあり、空調効率の改善が求められている。データセンタ等の空調効率向上には、空調機からＩＣＴ装置へ供給する冷気と、ＩＣＴ装置からの排気（暖気）との混合をできるだけ防止することが望ましい。そのため一般的なマシン室では、ＩＣＴ装置の吸気面同士／排気面同士を向かい合うようにラックを設置することで、コールドアイル（冷気通路）とホットアイル（暖気通路）を形成している。空調機からの冷気は二重床下からコールドアイルにのみ供給されるため、冷気と暖気の混合が発生しにくい。しかしながらこのような設計思想が発生する以前に設計されたマシン室や、装置更改等でラック配置が乱れているような状況においては、コールドアイル／ホットアイルが十分に形成されていない。このような場合には、二重床下から供給される冷気は必ずしもＩＣＴ装置に到達せず、周辺に拡散して暖気と混合することにより、空調効率悪化の一因となっている。
【０００３】
一方、別の空調効率悪化原因として、コールドアイル内の温度の不均一があげられる。特に空調機からの冷気の吹出方向に対してラック列が直交して配置されるマシン室の場合、同一のコールドアイル内であっても空調機の正面にあたる部分は冷気が多く供給されるため過冷却となり、逆にその他の部分は冷却不足となる場合があった。
【０００４】
一般的な二重床パネルは、ある一様な面状のパネルに多数の空気孔が具備されている。また下記の特許文献のように、二重床パネルにファンを内蔵し、床下からの冷気の供給量をアクティブに制御可能にするといったものもあった（特許文献１参照）。
【０００５】
図７は、特許文献１に記載された通信機器室等における従来の室内空調システム７００の構成を示す図である。基礎床面７３０の上方にファン内蔵二重床パネル７０５と開口パネル７０７とが敷設され、いわゆる二重床７０２が形成されている。この二重床下空間７０１に、冷却用空気を通したり、機器の配線ケーブルを通すことが可能となっている。
【０００６】
二重床７０２上には、空調機７０３と、通信機器またはＯＡ機器が収容され前面から吸気して上面又は背面から排気する複数のラック７３１とが設置されている。そして、複数のラック７３１が並列に配置されてなるラック群が通路を挟んでその両側に設置され、この通路を構成している床面には通気口を有しない二重床パネルと、ファン内蔵二重床パネル７０５と、それ以外の部分に敷設された開口パネル７０７とからなっている。
【０００７】
そして空調機７０３は、通信機気室７３２の室内の空気を上部吸気口から吸い込んで冷却し、その冷却後の空気（冷気）は冷却用空気として下部吹出口から送出され、二重床７０２を通して二重床下空間７０１に供給される。二重床下空間７０１に供給された冷却用空気は、二重床下空間７０１内を流動し、二重床７０２の通気口を通して通信機器室７３２内に供給され、ラック７３１に吸い込まれて内部の機器を冷却し、暖まった空気はラック７３１から通信機器室７３２内に排出され、再び空気調和装置７０３に吸い込まれる。
【０００８】
また、床下に滞留している床上の空気（冷気）は、ファン内蔵の二重床パネル７０５によって上方に吹き上げられ、これにより室内上下部に生じた温度差は解消される。
【先行技術文献】
【特許文献】
【０００９】
【特許文献１】特開２００６−４６６７１号公報
【発明の概要】
【発明が解決しようとする課題】
【００１０】
図８に、図７に記載の室内空調システム７００の通信機器（ＩＣＴ機器）への冷気の供給の様子を示す。従来の室内空調システムに使用される二重床パネル８０１は、平板上のパネルに空気吹き出し用の空気穴が設けられていたため、空調機からの冷却用空気は二重床パネル８０１の開口を通じて二重床下から二重床上に噴出するが、図８に記載のように、その吹き出し方向は必ず鉛直上向き方向であり、鉛直方向に対して角度をもって噴出させることは不可能であった。この場合、吹き出した冷却用空気は空気孔の直上に滞留する傾向があるため、あるＩＣＴ機器の吸気面と他の機器の排気面が対向している場合には、冷却用空気がＩＣＴ機器８０２に吸入される前に他の機器から放出された暖気と混合して温度が上昇したり、空気孔の直上部に冷気溜りが形成されてそれ以外の場所との温度差が発生したりすることなどの問題点があった。本発明は上述のような問題点を鑑みてなされたものであり、二重床パネルの形状を工夫することで、空調機からの冷気を鉛直方向に対して斜め方向に吹き出させることを目的としている。
【課題を解決するための手段】
【００１１】
上記目的を達成するための本発明における二重床パネルは、パネルの一部が水平方向に対して両側から下向きに傾いて三角形状の溝を形成しており、この傾いた面に空気孔が設けられている。
【００１２】
具体的には、本発明の二重床パネルは、二重床下から室内に冷気を噴出すことによりＩＣＴ機器の温度を調整する空調方式を用いた二重床構造のＩＣＴ機器室に敷設され、二重床下と室内とを区切る二重床パネルであって、前記二重床パネルの一部は、水平方向に対して左右両側から下向きに傾いて三角形状の溝を形成し、前記傾いた面の一方の面に冷気が吹き出す空気孔が開口され、前記空気孔からＩＴＣ機器を収納するラックの吸気口に向かって冷気が噴出されることを特徴とする。
【００１３】
また、本発明の二重床パネルの前記傾いた面には、複数の孔が開口されていることを特徴とする。
【００１４】
また、本発明の二重床パネルの前記傾いた面は、１つの孔が開口され、前記溝は、前記二重床パネルにくぼみ状に複数形成されることを特徴とする。
【００１５】
また、本発明の二重床パネルの前記空気孔の前記傾いた面内の深さ方向の位置は、前記溝を形成する三角形の深い部分に開口されることを特徴とする。
【００１６】
また、本発明の二重床パネルの前記ＩＣＴ装置を収納するラックの吸気口は、前記ＩＣＴ装置以外のＩＣＴ装置を収納するラックの排気口と向かい合わせに配置され、前記二重床パネルは、前記ＩＣＴラックと前記ＩＣＴ装置以外のＩＣＴ装置を収納したラックとの間に敷設され、前記ＩＣＴ装置以外のＩＣＴ装置を収納したラックの排気口から排出される暖気の排出方向と、前記冷気が噴出される方向のなす角が、鋭角であることを特徴とする。
【発明の効果】
【００１７】
本発明の二重床パネルを使用することにより、空調機からの冷気が鉛直方向に対して斜めに噴出する。本発明により、空調機からの冷気をＩＣＴ装置に向かって噴出させることが可能になるため、冷気の拡散・暖気との混合を抑制してＩＣＴ装置を効果的に冷却できる。これにより空調出力を下げることができ、ＩＣＴ機器室全体の省電力化に寄与する。
【図面の簡単な説明】
【００１８】
【図１】本発明の第１の実施形態にかかる二重床パネル１００の斜視図である。
【図２】図１に記載の二重床パネル１００の断面図である。
【図３】本発明の第２の実施形態である二重床パネル３００の斜視図である。
【図４】本発明の実施形態である二重床パネルの、室内空調システムへの適用例を示す図である。
【図５】本発明の二重床パネルの、Ｒｅａｒ  ｔｏ  Ｆｒｏｎｔ配置のマシン室への適用例を示す図である。
【図６】（ａ）は本発明の二重床パネルの室内空調システムへの別の適用例を示す図であり、（ｂ）は従来の室内空調システムの図である。
【図７】特許文献１に記載された通信機器室等における従来の室内空調システムの構成を示す図である。
【図８】図１に記載の室内空調システムの通信機器への冷気の供給の様子を示す図である。
【発明を実施するための形態】
【００１９】
以下、図面を参照しながら本発明の実施形態について詳細に説明する。
【００２０】
図１は、本発明の第１の実施形態にかかる二重床パネル１００の斜視図であり、図２は図１に記載の二重床パネル１００の断面図である。二重床パネル１００は、複数の溝１１０が形成されている。ここで、図２に記載のＡ〜Ｄは、パネルの屈折線を示している。線Ｂと線Ｃとを結ぶ面（面１０１）、および線Ｃと線Ｄとを結ぶ面（面１０２）は、パネル水平面に対して斜め下方向に伸びており、２つの平面で三角溝状の構造を形成する。面１０１には１つまたは複数の空気孔１０３が開口している。空気孔１０３は、空調機から二重床下に供給された冷却用空気を、さらに二重床下から二重床上に噴出するために設けられたものである。なお、パネルの断面は、図のように直線が折れ曲がった状態で変化していてもよいし、なめらかに（曲線状に）変化していてもよい。なお、空気孔１０３の形状は、穴状であってもスリット状であってもかまわない。
【００２１】
面１０１の空気孔１０３からの冷却用空気は、ＩＣＴ装置に対して噴射され、ＩＣＴ装置を冷却する。冷却用空気は、二重床パネル１００に対して鉛直上に噴射されることはなく、線Ａと線Ｂとを結ぶ面（面１０４）と面１０１がなす角度に応じて、冷却用空気の進行方向が鉛直方向に対して傾きを持った状態で噴射される。
【００２２】
また、パネルに対する三角溝状構造の方向や、三角溝状構造の深さ、すなわち冷気の吹き出し方向については同一方向に統一されている必要はなく、用途に応じて１枚のパネルにおける吹き出し方向がそれぞれ別の方向を向いていてもよい。空気孔を空ける間隔についても、等間隔に限られることはない。ただし、空気孔が開口されるのは、三角溝の同一箇所において一方の斜面のみだけ、つまり面１０１又は面１０２どちらか一方のみである（図１では面１０１）。両斜面に設けた場合、気流が打ち消しあって、二重床パネル１００の直上に冷気溜りが形成されてしまうからである。
【００２３】
さらに、三角形状の溝の冷却用空気が吹き出す空気孔が設けられていない面（図１では面１０１）は導風版の役割を果たすため、空気孔１０３の深さ方向に関する位置は、三角形の深い部分に設けると、吹き出しの角度がさらに安定する。
【００２４】
二重床パネル１００は、プレス加工等により形成することが可能である。そのため厚みを薄くすることができ、軽量化を図ることができ、製造コストも抑えることが可能である。
【００２５】
図３は、本発明の第２の実施形態である二重床パネル３００を示す図である。二重床パネル３００は、複数のくぼみ３１０を有し、各くぼみ３１０には空気孔３０１が開口している。各くぼみ３０１は、パネル水平面３０２に対して断面が三角形状に構成され、空気孔３０１は、くぼみを形成する面（図２の場合は面３０３、面３０４）のうちの一つに設けられている（図２では面３０３）。くぼみ３１０の空気孔３０１からの冷却用空気は、ＩＣＴ装置に対して噴射され、ＩＣＴ装置を冷却する。冷気は、水平面３０２と空気孔３０１が開口された斜面である面３０３がなす角度に応じて、冷却用空気が噴射される進行方向が鉛直方向に対して傾きを持っている。
【００２６】
図４は、本発明の実施形態である二重床パネルの、室内空調システムへの適用例を示す図である。基礎床面４１０の上方に二重床４２０が設けられ、本発明の二重床パネル４２１は、二重床４２０の一部を構成している。基礎床面４１０と二重床４２０との間の二重床下空間４１１に、空調用空気４１２（冷却用空気）を通す。
【００２７】
二重床４２０上には、ＩＣＴ機器が収容され前面から吸気して上面又は背面から排気する複数のラック４２２が設置されている。二重床パネル４２１は、二重床下空間４１１からの冷却用空気４２３がラック４２２に対し直接当たるような向きで敷設されている。
【００２８】
そして空間４１１に供給された冷却用空気４１２は、空間４１１内を流動し、二重床パネル４２１の空気孔を通して冷却用空気４２３として通信機器室４２４内に供給され、ラック４２２に吸い込まれて内部のＩＣＴ機器を冷却し、排気（暖気）４２５はラック４２２から通信機器室４２４内に排出される。
【００２９】
本発明の二重床パネル４２２は、冷却用空気４２３を、ＩＣＴ装置を収容するラック４２２の吸気口に向かって進行させることで、ＩＣＴ装置に到達する冷気の割合が増加し、空調効率が改善される。
【００３０】
図５は、本発明の二重床パネルをＲｅａｒ  ｔｏ  Ｆｒｏｎｔ配置のマシン室に適用した例を示す図である。ここで、Ｒｅａｒ  ｔｏ  Ｆｒｏｎｔ配置とは、ＩＣＴ装置の吸排気方向が隣接するラック列内のＩＣＴ装置と同一方向を向くような配置のことである。Ｒｅａｒ  ｔｏ  Ｆｒｏｎｔ配置では、あるラック列内のＩＣＴ装置からの排気（暖気）を隣接するラック列内のＩＣＴ装置が吸気する状況となっている。
【００３１】
このような状況において冷気と暖気の混合防止を図る場合、従来は排気側のラックの下部から吸気側のラックの上部に向かって樹脂等のシートを斜めに設置する「斜めキャッピング」が適用される場合があったが、ＩＣＴ装置の保守性を著しく悪化させるという問題があり、普及しにくい状況である。
【００３２】
ここに本発明の二重床パネル５０１を適用する。この場合、二重床下から二重床パネル５０１を介して供給される冷却用空気５０２の進行方向と、ＩＣＴ装置を内蔵したラック５０３からの暖気５０４の進行方向とが成す角度を小さくする。そうすると冷気と暖気が混合しにくくなり、斜めキャッピングを設けた状況を仮想的に作り出すことができる。
【００３３】
図６（ａ）は本発明の二重床パネルの室内空調システムへの別の適用例を示す図であり、図６（ｂ）は従来の室内空調システムの図である。ここで、図６（ａ）、図６（ｂ）ともにＩＴＣ機器室を天井から見下ろした図である。二重床下における空調機６０２からの冷却用空気６０７の進行方向とラック列６０１が直交するように設置された機器室においては、従来の二重床パネル６０５を使用した場合、同一のラック列であっても空調機６０１の正面の部分では冷気が多く供給されるため過冷却となり、それ以外の部分は冷却不足になるという問題があった。
【００３４】
本発明においては、二重床パネル６０５を利用して、二重床から冷却用空気を噴出する方向をさまざまな方向に設定し、ＩＣＴラック列６０１の空調機６０２と向かい合う部分でない部分に、冷却用空気６０７を積極的に送ることで、全体の温度を均一化することが可能となる。
【符号の説明】
【００３５】
１００、３００、４２１、５０１、６０４、６０５、８０１  二重床パネル
１０１、１０２、１０４、３０２、３０３、３０４  面
１０３、３０１  空気孔
１１０  溝
３１０  窪み
４１０、７３０  基礎床面
４１１、７０１  二重床下空間
４１２、４２３、５０２、６０７  冷却用空気
４２０、７０２  二重床
４２２、５０３、７３１、８０２  ラック
４２４、７３２  通信機器室
４２５、５０４  暖気
６０２、７０３  空調機
７００  空調システム
７０５  ファン内蔵二重床パネル
７０７  開口パネル
【図１】
2014181451.tif 000003
【図２】
2014181451.tif 000004
【図３】
2014181451.tif 000005
【図４】
2014181451.tif 000006
【図５】
2014181451.tif 000007
【図７】
2014181451.tif 000008
【図８】
2014181451.tif 000009
【図６】
2014181451.tif 000010